(57)【要約】【課題】  眼内レンズの後方支持部の絡まりを抑制し、好適に眼内レンズを送出することのできる眼内レンズ挿入器具を提供する。【解決手段】  眼球の切開創から眼内レンズを挿入する挿入筒と挿入筒の基端に一対の支持部を有する眼内レンズを載置するための載置部とを有するレンズ挿入部と，軸方向に移動可能に設置されレンズ挿入部から眼内レンズを押し出すための押出棒を持つ押出手段と，を筒部本体に有する眼内レンズ挿入器具において、押出棒には眼内レンズの後方支持部を通すためのスリットが先端から基端側に向かって軸方向に所定の長さだけ形成されている。【選択図】      図５
2010094319.tif 000002
【特許請求の範囲】
【請求項１】
眼球の切開創から眼内レンズを挿入する挿入筒と該挿入筒の基端に一対の支持部を有する眼内レンズを載置するための載置部とを有するレンズ挿入部と，軸方向に移動可能に設置され前記レンズ挿入部から前記眼内レンズを押し出すための押出棒を持つ押出手段と，を筒部本体に有する眼内レンズ挿入器具において、前記押出棒には前記眼内レンズの後方支持部を通すためのスリットが先端から基端側に向かって軸方向に所定の長さだけ形成されていることを特徴とする眼内レンズ挿入器具。
【請求項２】
請求項１の眼内レンズ挿入器具において、前記スリットの軸方向の長さは前記眼内レンズの周縁が前記押出棒先端に当接した状態で後方支持部の軸方向における最長部分と略同じか、若干短い長さにて形成されていることを特徴とする眼内レンズ挿入器具。
【請求項３】
請求項１または請求項２の眼内レンズ挿入器具において、前記押出棒はさらにその先端に前記眼内レンズの周縁を食え込むために上下端部が突出し二股に分かれたくわえ込み形状を有したヘッド部が形成されていることを特徴とする眼内レンズ挿入器具。
【請求項４】
請求項３の眼内レンズ挿入器具において、前記ヘッド部の内壁面はヘッド部の底面に向けて内側に湾曲した形状であることを特徴とする眼内レンズ挿入器具。
【発明の詳細な説明】
【技術分野】
【０００１】
本発明は、眼内レンズを眼内に挿入する眼内レンズ挿入器具に関する。
【背景技術】
【０００２】
従来、眼内レンズを挿入する際には、インジェクタと呼ばれる眼内レンズ挿入器具を使用する方法が一般的である。このような眼内レンズ挿入器具は、眼内レンズを応力を掛けない状態で設置、またはある程度眼内レンズを折り曲げた状態で設置して置き、プランジャーと呼ばれる押し出し手段を用いて眼内レンズをより小さく折りたたみインジェクタから送出させる（特許文献１参照）。
【特許文献１】特開２００３−２１０４９８号公報
【発明の開示】
【発明が解決しようとする課題】
【０００３】
特許文献１に記載されるような、眼内レンズ挿入器具において眼内レンズを押し出すためにプランジャーを用いる場合、眼内レンズの後方支持部の扱いが問題となる。何も考慮せずプランジャーを用いて眼内レンズを押し進めた場合、後方支持部がプランジャーによって折り曲げられてしまう可能性がある。このため、例えば、眼内レンズを挿入器具にセットする場合には、後方支持部をプランジャーの軸上に載せるように調整し、押し出し動作において後方支持部が巻き込まれないように気をつける必要がある。
しかしながら、このように後方支持部の扱いを気をつけていても、プランジャーによりレンズを押し進め小さくさせていく過程で、支持部が伸展し、これによってプランジャーの軸に絡まることがある。このような場合、眼内レンズ（光学部）を送出することができたとしても後方支持部が軸に絡んでいるため、眼内レンズを水晶体嚢内に置くことが難しい。また、送出した際に支持部がもつ弾力性によって支持部自体が意図しない挙動を示す場合があり、扱いに手間がかかることがある。
上記従来技術の問題点に鑑み、眼内レンズの後方支持部の絡まりを抑制し、好適に眼内レンズを送出することのできる眼内レンズ挿入器具を提供することを技術課題とする。
【課題を解決するための手段】
【０００４】
上記課題を解決するために本発明は以下の構成を持つことを特徴とする。
（１）  眼球の切開創から眼内レンズを挿入する挿入筒と該挿入筒の基端に一対の支持部を有する眼内レンズを載置するための載置部とを有するレンズ挿入部と，軸方向に移動可能に設置され前記レンズ挿入部から前記眼内レンズを押し出すための押出棒を持つ押出手段と，を筒部本体に有する眼内レンズ挿入器具において、前記押出棒には前記眼内レンズの後方支持部を通すためのスリットが先端から基端側に向かって軸方向に所定の長さだけ形成されていることを特徴とする。
（２）  （１）の眼内レンズ挿入器具において、前記スリットの軸方向の長さは前記眼内レンズの周縁が前記押出棒先端に当接した状態で後方支持部の軸方向における最長部分と略同じか、若干短い長さにて形成されていることを特徴とする。
（３）  （１）または（２）の眼内レンズ挿入器具において、前記押出棒はさらにその先端に前記眼内レンズの周縁を食え込むために上下端部が突出し二股に分かれたくわえ込み形状を有したヘッド部が形成されていることを特徴とする。
（４）  （３）の眼内レンズ挿入器具において、前記ヘッド部の内壁面はヘッド部の底面に向けて内側に湾曲した形状であることを特徴とする。
【発明の効果】
【０００５】
本件発明によれば、眼内レンズの後方支持部の絡まりを抑制し、好適に眼内レンズを送出することができる。
【発明を実施するための最良の形態】
【０００６】
以下、本発明の実施形態について図面に基づいて説明する。図１は、本実施形態に係る眼内レンズ挿入器具の外観概略図である。図２は図１で示した眼内レンズ挿入器具の概略断面を示した図である。なお、本実施形態の眼内レンズ挿入器具は、使用時には図１に示すような状態におかれ、保管、搬送時は図２に示すように図１の状態に対して上下が反転した状態にて保管される。
【０００７】
眼内レンズ挿入器具１００は、大別して、筒部本体１、挿入部１０、保持部材２０、載置部３０、押出部材４０、軸出部材５０を持ち、本実施形態では全ての部品が樹脂成型された使い捨てタイプの器具である。
挿入部１０は筒部本体１の先端に設けられ、中空の筒形状を有しており、先端に向かうにしたがって通路の内径が徐々に小さく（細く）なる領域を持つ。眼内レンズ１００は、挿入部１０の中空部分を通ることによって小さく折りたたまれ、外部に送り出される。
【０００８】
図３は図１に示す眼内レンズ挿入器具１００から保持部材２０と軸出部材５０を取り外した状態を示した図である。載置部３０は図３に示すように筒部本体１における挿入部１０の基端に形成され、後述する保持部材２０の取り外しにより眼内レンズ１００を載置面３１に置くようになっている。なお、本実施形態の眼内レンズ挿入器具に使用可能な眼内レンズは、折り曲げ可能な軟性樹脂からなる光学部にループ状の一対の支持部が取り付けられた３ピース型の眼内レンズや、支持部と光学部とが一体成型された１ピース型の眼内レンズ等、の従来から挿入器具を用いて眼内に挿入されていた眼内レンズを用いることができる。
【０００９】
載置部３０の側壁（筒部本体１の側壁）には後述する保持部材２０を着脱可能に取り付けるための手段となる凸部３２が形成されている。載置面３１の上部には天井部３３が形成されており、載置面３１と天井部３３との間には眼内レンズ２００を収めることができるだけの空間（隙間）が設けられている。また、天井部３３には、軸出部材５０が取り外された後に形成される空間２と連結し眼内レンズ挿入器具１００の軸方向に沿って所定量だけ前方に延びる開口３４が形成されている。より具体的には、開口３４は、軸方向に対する後ろ側の一辺が開放され（切り取られ）ており、保持部材２０を空間２に位置した状態で、開口３４に沿ってスライドさせて載置部３０に取り付けるためのものである。また、開口３４は、後述する保持部材２０が持つ保持台を載置面３１に向けて通すことが可能な程度の横幅であって、眼内レンズ２００の光学部の径よりも狭い幅となっている。なお、軸出部材５０を取り外したときに得られる空間２は、保持部材２０を載置部３０に取り付けるために必要とされる空間となり、空間２の下部に位置する底面３には軸出部材５０を固定保持させるための凹部３ａが設けられている。
【００１０】
保持部材２０は、眼内レンズ挿入器具１００の保管・搬送時に載置部３０の中空（載置面と天井部との間）にて応力を掛けることなく眼内レンズ２００を保持するための部材である。図４は保持部材２０の外観を示した模式図である。保持部材２０は基台２１を持ち、この基台２１上に２つの保持台２２，２３が前後方向にて対面するように配置されている。保持台２２，２３横幅は、眼内レンズ２００の光学部の径よりも短くされており、また、保持台２２，２３は、基盤２１上から所定量だけ柱状に延びている。なお、保持台２２と保持台２３の配置間隔は、向かい合う内壁の間隔が載置される眼内レンズの光学径によって決定され、向かい合う外壁の間隔が、開口３４の挿入部１０側の縁から軸出部材５０の前側壁面までの距離と略一致するように決定されている。
【００１１】
また、保持台２２，２３の上部には、眼内レンズ２００の光学部周縁の一部分を下側から支持するための窪み２２ａ，２３ａが設けられている。なお、保持台２２，２３の上端は、窪み２２ａ，２３ａにより眼内レンズ２００を載置した状態において、光学部の上面高さよりも若干上方に位置している。また、図示するように、窪み２２ａ，２３ａによって前後に形成される側壁は、眼内レンズ２００の光学部の径及び円周に合わせた曲面を有しており、窪み２２ａ，２３ａに眼内レンズ２００（光学部）を載置した際に眼内レンズ２００を前後方向から応力を掛けないで挟持する（若干の隙間を有する）構成となっている。また、保持台２２，２３は、窪み２２ａ，２３ａに眼内レンズ２００を収めることで、眼内レンズ２００の水平方向の移動を規制する共に、眼内レンズ２００を保管する機能を兼ねることとなる。
【００１２】
さらに、基台２１の両脇には基台面に対して上下方向に伸びる一対の板状の取付部２４が設けられている。一対の取付部２４同士の内壁間隔は、取り付けられる筒部本体１の外壁径と略同じか、それよりも若干広くなっている。また、基台２１の眼内レンズ載置面側から上方に向けて延びる取付部２４の先端には、内側に向けて突出する凸部２４ａが形成されており、前述した凸部３２に引っ掛けられるようになっている。
【００１３】
図５は押出部材４０の構成を示した図である。押出部材４０は、筒部本体１に前後移動可能に取り付けられ、載置部３０に載置された眼内レンズ２００を後方から押し、挿入部１０先端から送出させるための押出棒４１を持つ。押出棒４１の先端は眼内レンズ２００の光学部の縁をくわえることが可能なように、上下端部が突出し、二股に分かれたくわえ込み形状を持つヘッド４２が形成されている。また、ヘッド４２の内壁面４２ａは、上下面ともに底面４２ｂに向けて内側に湾曲しており、後述する眼内レンズ２００の支持部（ループ）を底面４２ｂに設けられたスリット４３に導きやすい形状となっている。なお、底面４２ｂは眼内レンズ２００の光学部の縁面（コバ）に対して当接面積を大きくさせることができるように平坦、または光学部の円周に沿った面形状を持つ。スリット４３は、底面４２ｂから基端側に向けて所定の長さだけ形成される隙間であり、その隙間は眼内レンズ２００の支持部を通すことができる幅にて形成されている。また、スリット４３の軸方向の長さは、眼内レンズ（光学部）２００をヘッド４２にて把持した際に後方支持部の軸方向における最長部分（湾曲部頂点）と略同じか、若干短くなるように設計されている。このような構成のため、眼内レンズ２００を押し出す際に、スリット４３の末端に後方支持部の湾曲部頂点が常に当接することとなり、支持部先端が伸展することを抑制し、押し出し動作中に後方支持部が押出棒４１に絡んでしまうことを防ぐことができる。
【００１４】
図６は軸出部材５０の構成を示した概略断面図である。軸出部材５０は載置部３０の基端側に形成された空間２内に収められる大きさで形成された矩形状の部材である。軸出部材５０の底面には、筒部本体１の底面３に設けられる凹部３ａと嵌合する凸部５１が形成されている。軸出部材５０は、載置部３０に保持部材２０が取り付けられた後、図３に示す筒部本体１の空間２内に収められることにより、空間２に向けて開放されている載置面３１上の隙間を塞ぐ蓋の役目を果たし、保持部材２０の軸方向へのズレを防止するとともに、押出棒４１の軸ブレを抑制する役目を果たす。図示するように軸出部材５０には押出棒を挿通するための貫通孔５２が形成されおり、貫通孔５２の後端に形成される入り口は、押出棒４１の径よりも十分大きな径を有し、先へ行くにしたがって狭く（細く）なるすり鉢形状となっている。また、反対側となる貫通孔５２の先端に形成される出口付近の通路は、押出棒４１と略一致する径で形成されており、ここを押出棒４１が通過することにより、押出棒４１の軸出しを行うことができる。
【００１５】
なお、本実施形態における軸出部材５０の先端面は平坦な形状としているが、これに限るものではなく、眼内レンズ２００の後方支持部を押出棒４１のスリット４３に好適に導くための形状を有していてもよい。例えば、軸出部材５０の先端面に凸部を設け、この凸部に眼内レンズの支持部を載せて置くようにすることで、支持部を出口高さ付近に維持させるようにすることもできる。
【００１６】
以上のような構成を備える眼内レンズ挿入器具において、眼内レンズを挿入器具にセットする流れを説明する。
始めに折り曲げ可能な眼内レンズ２００を図４に示す保持部材２０の保持台２２，２３の窪み２２ａ，２３ａ上に載せる。一方、筒部本体１は図３に示すように軸出部材５０が取り外され、押出棒４１が空間２内にないように手前に引かれた状態とされる。このような筒部本体１を上下逆さまにした状態（載置面３１が天井部３３に対して上側となる状態）におき、空間２内に保持部材２０を位置させた後、保持部材２０を開口３４に沿ってスライドさせ、眼内レンズ２００が載置部３０の隙間に入るようにして保持台２２，２３を開口３４に置く。また、載置部３０の両脇に設けられている凸部３２に保持部材２０の凸部２４ａを引っ掛けることにより、図７及び図８に示すように、保持部材２０が載置部３０に取り付けられることとなる。載置部３０への保持部材２０の取付け後、軸出部材５０を筒部本体１にセットすることにより、保持部材２０は筒部本体１に完全に固定保持されることとなる。
【００１７】
筒部本体１に保持部材２０が取り付けられた状態で図示なきホルダに保持部材２０を下側にした状態で収納され、包装、滅菌処理され、保管される。図８に示すように、載置部３０に保持部材２０が取り付けられた状態において、眼内レンズ２００は水平方向の移動を保持台２２,２３によって規制され、上下方向の移動を窪み２２ａ，２３ａと天井となる載置面３１によって規制されており、保管、搬送時において、眼内レンズ２００が外れてしまうことがない。また、常に応力がかかった状態とはならないため、長期保管においてもレンズの変形を生じさせることがないとともに、載置面３１と天井３３との隙間となる中空に眼内レンズ２００が位置しているため、載置面３１に常時接触することがなく、載置面３１において眼内レンズがくっついてしまうことが抑制される。
【００１８】
眼内レンズ挿入器具１００を使用する場合には、図示なきホルダから眼内レンズ挿入器具２００を取り出し、図１に示すように保持部材２０が上側となるようにする。このとき眼内レンズ２００は自重により載置面３１に落ちて載置面上に置かれることとなる。その後、保持部材２０両脇に設けられている取付部２４の上部を持ち、窄めることにより凸部２４ａを押し開かせ、図９に示すように保持部材２０を上方に引く抜く。このような動作によって、眼内レンズ２００は載置部３０内に残り、保持部材２０のみが取り外されることとなる。なお、長期保管によって眼内レンズ２００が持つ粘性により保持台２２，２３（窪み２２ａ，２３ａ）にくっついていたとしても、このような保持部材２０の引き抜き動作（取り外し動作）によって、眼内レンズ２００は載置部３０の天井部３３に接触し、上方への移動が規制される。したがって、保持部材２０を取り外すことにより、保持台２２，２３から眼内レンズ２００が外れ、載置面３１に置かれることとなる。なお、保持部材２０を取り外す前に、挿入部１０の基端下面に設けられている図示なき細孔から粘弾性物質を挿入部１０の内部通路上に満たしておく。
【００１９】
次に載置部３０に置かれた眼内レンズの押し出し動作について説明する。
図９に示すように、眼内レンズ挿入器具１００に眼内レンズ２００がセットされた状態で、押出部材４０を押し込んでいく。押出部材４０を押し込んでいくことにより、押出棒４１は軸出部材５０の貫通孔５２を挿通することにより軸出しが行われ、図１０（ａ）及び図１０（ｂ）に示すように、押出棒４２が前方に進み、載置面３１に置かれた眼内レンズ２００の光学部の周縁をヘッド４２によりくわえることとなる。このとき、眼内レンズ２００の後方支持部は、ヘッド４２の内壁面４２ａの曲面に沿って底面４２ｂに導かれていき、さらに底面４２ｂからスリット４３に通されていくこととなる。このようにスリット４３に支持部が通されることによって、眼内レンズ２００を挿入部１０内にて小さく丸め込んだとしても、支持部が押出棒４１に絡むことが抑制され、挿入部１０の先端から眼内レンズ２００を好適に送出させることができる。
【００２０】
なお、本実施形態においては、保持部材を筒部本体に取り付ける一部品として用いているがこれに限るものではなく、載置部に設けられた載置面と天井部との隙間の中空に眼内レンズ２００を載置することが可能な構成であればよい。例えば、筒部本体１全体を固定保持するためのホルダに保持台２２，２３と同等の機能を持つ保持台を用意することも可能である。この場合には、筒部本体からホルダから取り外す動作を行うことにより、ホルダに保持された眼内レンズを筒部本体側（載置部側）に残すことができる。
【００２１】
また、本実施形態では、保持部材を載置部（筒部本体）に取り付けるために筒部本体から着脱可能な軸出部材を取り外す構成としているが、これに限るものではなく、押出棒の軸出しは筒部本体に固定的に設け、保持部材を載置部に取り付けるに必要な空間が用意されていればよい。なお、このような空間は必ずしも載置部の基端（後ろ側）に設けられる必要はなく、前側に形成することも可能である。空間が載置部の前側に形成される場合には載置部の天井部に設けられる開口は前側の一辺が開放（空間に連結）されていなければならない。
【００２２】
さらに、本実施形態では載置部に設けられた保持台を通すための開口は眼内レンズの光学径よりも狭い幅で形成されるものとしているが、これに限るものではなく、光学径以上の開口幅を有してしてもよい。この場合には、載置部に別途保持部材を取り外す（引き抜く）際に、眼内レンズの引き抜き方向への移動を規制する部材が形成されていればよい。
【図面の簡単な説明】
【００２３】
【図１】本実施形態の眼内レンズ挿入器具の概観を示した図である。
【図２】本実施形態の眼内レンズ挿入器具の内部概略構成を示した断面図である。
【図３】本実施形態の眼内レンズ挿入器具において、保持部材と軸出部材とを取り外した状態を示した図である。
【図４】保持部材の概略構成を示した図である。
【図５】押出部材の構成、及び押出部材先端を一部拡大した状態を示した図である。
【図６】軸出部材の概略構成を示した断面図である。
【図７】筒部本体に対して保持部材を取り付けた状態を示した図である。
【図８】筒部本体に保持部材が取り付けられている状態を前側から見たときの概略断面図である。
【図９】筒部本体から保持部材を取り外した状態を示した図である。
【図１０】押出部材を押して、眼内レンズを先端に把持した際の状態を示した図である。
【符号の説明】
【００２４】
１  筒部本体
２  空間
１０  挿入筒部
２０  保持部材
３０  載置部
４０  押出部材
４１  押出棒
４２  ヘッド
４３  スリット
５０  軸出部材
１００  眼内レンズ挿入器具
２００  眼内レンズ
【図１】
2010094319.tif 000003
【図２】
2010094319.tif 000004
【図３】
2010094319.tif 000005
【図４】
2010094319.tif 000006
【図５】
2010094319.tif 000007
【図６】
2010094319.tif 000008
【図７】
2010094319.tif 000009
【図８】
2010094319.tif 000010
【図９】
2010094319.tif 000011
【図１０】
2010094319.tif 000012